(57)【要約】【課題】磁気記録媒体の磁気データが誤って書き換えられることを抑制することのできる磁気記録媒体処理装置を提供すること。【解決手段】磁気記録媒体処理装置１において、駆動回路６０は、磁気記録媒体２に磁気データを記録するための第１駆動信号Ｓ１を出力する前に第２駆動信号Ｓ２を第１磁気ヘッド２１に出力する。監視部７０は、第２駆動信号Ｓ２を監視し、第２駆動信号Ｓ２の波形が予定されていた波形である場合には、第１駆動信号Ｓ１による磁気データの記録を実行させ、第２駆動信号Ｓ２の波形が予定されていた波形でない場合、第１駆動信号Ｓ１による磁気データの記録を中止させる。駆動回路６０から第１磁気ヘッド２１への第２駆動信号Ｓ２の出力は、磁気記録媒体２が投入された後、磁気記録媒体２が第１磁気ヘッド２１によって磁気データが記録される位置に到達する前に行われる。【選択図】図１
2020107385.tif 000002
【特許請求の範囲】
【請求項１】
磁気記録媒体に磁気データの記録を行う磁気ヘッドと、
前記磁気記録媒体に前記磁気データを記録するための第１駆動信号を出力する前に第２駆動信号を前記磁気ヘッドに出力する駆動回路と、
前記第２駆動信号を監視し、前記第２駆動信号の波形が予定されていた波形である場合には、前記第１駆動信号による前記磁気データの記録を実行させ、前記第２駆動信号の波形が予定されていた波形でない場合、前記第１駆動信号による前記磁気データの記録を中止させる監視部と、
を有することを特徴とする磁気記録媒体処理装置。
【請求項２】
請求項１に記載の磁気記録媒体処理装置において、
前記駆動回路から前記磁気ヘッドへの前記第２駆動信号の出力は、前記磁気記録媒体が投入された後、前記磁気記録媒体が前記磁気ヘッドによって前記磁気データが記録される位置に到達する前に行われることを特徴とする磁気記録媒体処理装置。
【請求項３】
請求項１または２に記載の磁気記録媒体処理装置において、
前記第１駆動信号に対応する第１データ、および前記第２駆動信号に対応する第２データを作成して前記駆動回路に出力するデータ作成部を有し、
前記駆動回路は、前記第１データに基づいて前記第１駆動信号を生成して出力するとともに、前記第２データに基づいて前記第２駆動信号を生成して出力し、
前記監視部は、さらに、前記第２データを監視し、前記第２駆動信号の波形が予定されていた波形でない場合において、前記第２データが予定しているデータであるときには前記駆動回路に不具合が発生していると判定し、前記第２データが予定しているデータでないときには前記データ作成部に不具合が発生していると判定することを特徴とする磁気記録媒体処理装置。
【請求項４】
請求項１から３までの何れか一項に記載の磁気記録媒体処理装置において、
前記磁気記録媒体が投入される投入口と、
前記投入口から前記磁気ヘッドに向けて延在する媒体移動路と、
前記媒体移動路における前記磁気記録媒体の位置を検出するセンサと、
前記センサの検出結果に基づいて、前記駆動回路から前記第１駆動信号および前記第２駆動信号を出力するタイミングを制御するタイミング制御部と、
を有することを特徴とする磁気記録媒体処理装置。
【請求項５】
請求項１から４までの何れか一項に記載の磁気記録媒体処理装置において、
前記磁気記録媒体は、磁気記録カードであることを特徴とする磁気記録媒体処理装置。
【発明の詳細な説明】
【技術分野】
【０００１】
本発明は、磁気記録媒体に磁気データを記録する磁気記録媒体処理装置に関するものである。
【背景技術】
【０００２】
磁気記録媒体処理装置では、磁気記録カード等の磁気記録媒体が投入口から投入された後、磁気記録媒体が媒体移動路に沿って移動する際に、磁気ヘッドによって、磁気記録媒体に対する磁気データの記録や再生が行われる（特許文献１参照）。
【先行技術文献】
【特許文献】
【０００３】
【特許文献１】特開２００１−１１８２０６号公報
【発明の概要】
【発明が解決しようとする課題】
【０００４】
特許文献１等の記載の磁気記録媒体処理装置において、磁気データの記録を行う際、データ作成部は、上位の制御部からの指令に基づいて、記録すべき磁気データに対応するデータを作成し、駆動回路は、データに対応する駆動信号を生成して磁気ヘッドに出力する。その結果、磁気カードには、２値化信号からなる磁気データが記録される。
【０００５】
しかしながら、記録動作の際、駆動回路等に不具合が発生し、予定していた信号と異なる信号が駆動回路から磁気ヘッドに出力されると、磁気カードの磁気データが書き換えられてしまうという問題点があるが、かかる問題点に対する対策は、特許文献１等に記載されていない。
【０００６】
以上の問題点に鑑みて、本発明の課題は、磁気記録媒体の磁気データが誤って書き換えられることを抑制することのできる磁気記録媒体処理装置を提供することにある。
【課題を解決するための手段】
【０００７】
上記課題を解決するために、本発明に係る磁気記録媒体処理装置は、磁気記録媒体に磁気データの記録を行う磁気ヘッドと、前記磁気記録媒体に前記磁気データを記録するための第１駆動信号を出力する前に第２駆動信号を前記磁気ヘッドに出力する駆動回路と、前記第２駆動信号を監視し、前記第２駆動信号の波形が予定されていた波形である場合には、前記第１駆動信号による前記磁気データの記録を実行させ、前記第２駆動信号の波形が予定されていた波形でない場合、前記第１駆動信号による前記磁気データの記録を中止させる監視部と、を有することを特徴とする。
【０００８】
本発明において、駆動回路は、磁気記録媒体に磁気データを記録するための第１駆動信号を出力する前に第２駆動信号を磁気ヘッドに出力し、監視部は、第２駆動信号の波形が予定されていた波形と異なる場合、駆動回路等に不具合が発生したと判定し、第１駆動信号による磁気データの記録を中止させる。このため、駆動回路等の不具合が原因で、磁気記録媒体の磁気データが誤って書き換えられることを抑制することができる。
【０００９】
本発明において、前記駆動回路から前記磁気ヘッドへの前記第２駆動信号の出力は、前記磁気記録媒体が投入された後、前記磁気記録媒体が前記磁気ヘッドによって前記磁気データが記録される位置に到達する前に行われる態様を採用することができる。かかる態様によれば、駆動回路から磁気ヘッドに第２駆動信号が出力されても、磁気記録媒体の磁気
データが第２駆動信号によって書き換えられることを抑制することができる。
【００１０】
本発明において、前記第１駆動信号に対応する第１データ、および前記第２駆動信号に対応する第２データを作成して前記駆動回路に出力するデータ作成部を有し、前記駆動回路は、前記第１データに基づいて前記第１駆動信号を生成して出力するとともに、前記第２データに基づいて前記第２駆動信号を生成して出力し、前記監視部は、さらに、前記第２データを監視し、前記第２駆動信号の波形が予定されていた波形でない場合において、前記第２データが予定しているデータであるときには前記駆動回路に不具合が発生していると判定し、前記第２データが予定しているデータでないときには前記データ作成部に不具合が発生していると判定する態様を採用することができる。かかる態様によれば、不具合が発生している部分を特定することができる。
【００１１】
本発明において、前記磁気記録媒体が投入される投入口と、前記投入口から前記磁気ヘッドに向けて延在する媒体移動路と、前記媒体移動路における前記磁気記録媒体の位置を検出するセンサと、前記センサの検出結果に基づいて、前記駆動回路から前記第１駆動信号および前記第２駆動信号を出力するタイミングを制御するタイミング制御部を有する態様を採用することができる。かかる態様によれば、磁気記録媒体が投入口に投入されると、磁気記録媒体の位置に応じた適正なタイミングで、駆動回路から第１駆動信号および第２駆動信号を出力することができる。
【００１２】
本発明において、前記磁気記録媒体は、磁気記録カードである態様を採用することができる。
【発明の効果】
【００１３】
本発明において、駆動回路は、磁気記録媒体に磁気データを記録するための第１駆動信号を出力する前に第２駆動信号を磁気ヘッドに出力し、監視部は、第２駆動信号の波形が予定されていた波形と異なる場合、駆動回路等に不具合が発生したと判定し、第１駆動信号による磁気データの記録を中止させる。このため、駆動回路等の不具合が原因で、磁気記録媒体の磁気データが誤って書き換えられることを抑制することができる。
【図面の簡単な説明】
【００１４】
【図１】本発明の実施形態１に係る磁気記録媒体処理装置の構成を模式的に示す説明図。
【図２】図１に示す磁気記録媒体処理装置の制御系の構成等を示すブロック図。
【図３】図１に示す磁気記録媒体の説明図。
【図４】本発明の実施形態２に係る磁気記録媒体処理装置の構成を模式的に示す説明図。
【発明を実施するための形態】
【００１５】
図面を参照しながら、本発明を適用した磁気記録媒体処理装置１の実施形態を説明する。
【００１６】
［実施形態１］
（全体構成）
図１は、本発明の実施形態１に係る磁気記録媒体処理装置１の構成を模式的に示す説明図である。図１に示す磁気記録媒体処理装置１は、ＡＴＭ（Ａｕｔｏｍａｔｅｄ  Ｔｅｌｌｅｒ  Ｍａｃｈｉｎｅ）等の上位装置に搭載されて使用される。磁気記録媒体処理装置１は、磁気データが記録された磁気記録カード等の磁気記録媒体２が投入される投入口１１を備えたゲート部１０と、磁気データを磁気記録媒体２に記録する第１磁気ヘッド２１を備えた装置本体２０とを有している。装置本体２０の内部には、投入口１１から延在す
る媒体移動路２２が形成されており、第１磁気ヘッド２１は媒体移動路２２に面して配置されている。
【００１７】
ゲート部１０には、投入口１１と、媒体移動路２２のうち、投入口１１側に位置する投入路１２とが設けられている。装置本体２０は、媒体移動路２２に沿って磁気記録媒体２を搬送する搬送機構３０を備えている。磁気記録媒体処理装置１には、媒体移動路２２に沿って配置された複数のセンサ（第１センサ１３１、第２センサ１３２、第３センサ１３３、第４センサ１３４、および第５センサ１３５）を備えた媒体位置検出機構１３を有している。上記のセンサとしては、投入された磁気記録媒体２と接触する検知部材を備えている接触式のセンサ、あるいは光学式のセンサなどが用いられる。
【００１８】
ゲート部１０は装置本体２０の前面から前方Ｙ１に突出している。投入口１１はゲート部１０の前面に設けられ、幅方向に延在する。ゲート部１０は、投入口１１の近傍に、媒体位置検出機構１３の第１センサ１３１と、プリヘッドとしての第２磁気ヘッド１４とを備えている。第１センサ１３１は、投入口１１に磁気記録媒体２が投入されたことを検知する。第２磁気ヘッド１４は、投入された磁気記録媒体２に磁気データが記録されているか否かを検知する。
【００１９】
搬送機構３０は、投入口１１から媒体移動路２２への磁気記録媒体２の取り込み動作、および媒体移動路２２から投入口１１を介しての磁気記録媒体２の排出動作を行う。搬送機構３０は、磁気記録媒体２に接触して磁気記録媒体２を搬送する搬送ローラ３１と、搬送ローラ３１に磁気記録媒体２を押し付ける押圧ローラ３２と、駆動源であるモータ３３と、モータ３３の回転を搬送ローラ３１に伝達する駆動力伝達機構３４とを備えており、モータ３３には、電源部４０から電源供給が行われる。
【００２０】
搬送ローラ３１は、媒体移動路２２に沿って前後方向Ｙに所定間隔で複数配置される。複数の搬送ローラ３１は各々、押圧ローラ３２と媒体移動路２２を挟んで対向する。駆動力伝達機構３４は、搬送ローラ３１の回転軸に取り付けられたプーリにベルトを架け渡した第１ベルト機構と、第１ベルト機構のプーリのうちの１つにモータ３３の回転を伝達する第２ベルト機構を備えている。なお、駆動力伝達機構３４は、このような構成に限定されるものではなく、適宜変更可能である。
【００２１】
複数の搬送ローラ３１は、搬送ローラ３１Ａ、３１Ｃ、３１Ｂを含む。複数の搬送ローラ３１のうち、最も前方Ｙ１に位置する搬送ローラ３１Ａは、媒体移動路２２の前端に配置される。搬送ローラ３１Ａの後方Ｙ２には、搬送ローラ３１Ｂ、３１Ｃがこの順で配置される。第１磁気ヘッド２１は、搬送ローラ３１Ｂ、３１Ｃの間に配置される。搬送ローラ３１の数は３個以外であってもよく、その配置も図１のような配置に限定されるものではない。また、搬送機構３０として搬送ローラ以外の機構を用いることもできる。例えば、ベルト機構によって磁気記録媒体２を搬送することもできる。搬送機構３０は、モータ３３の回転方向および回転速度を制御することにより、磁気記録媒体２の搬送方向や搬送速度等を切り換えることができる。
【００２２】
（制御系等の構成）
図２は、図１に示す磁気記録媒体処理装置１の制御系の構成等を示すブロック図である。図２において、磁気記録媒体処理装置１は、ＣＰＵ等を備えた制御部１００を備えており、制御部１００は、メモリ等に予め格納されたプログラムに沿って所定の動作を行う。制御部１００は、搬送機構３０を制御する搬送制御部１５０と、媒体位置検出機構１３（第１センサ１３１、第２センサ１３２、第３センサ１３３、第４センサ１３４、および第５センサ１３５）の検出結果に基づいて各種動作を行うタイミングを制御するタイミング制御部１３０とを有している。従って、第１センサ１３１の出力が磁気記録媒体なしを示
す信号から磁気記録媒体ありを示す信号に切り換わると、搬送制御部１５０は、搬送機構３０のモータ３３に低速回転用の回転速度での駆動を開始させて磁気記録媒体２の搬送を開始する。
【００２３】
また、磁気記録媒体処理装置１は、第２磁気ヘッド１４の検出結果に基づいて磁気記録媒体２に磁気データが記録されているか否かを検出する磁気データ有無検出部１４０と、第１磁気ヘッド２１によって磁気記録媒体２に対する磁気データの記録を行う磁気データ記録部１１０と、第１磁気ヘッド２１によって磁気記録媒体２に記録されている磁気データの再生を行う磁気データ再生部１２０とを有している。磁気データ記録部１１０および磁気データ再生部１２０における動作の開始等は、タイミング制御部１３０によって制御される。
【００２４】
本実施形態では、第２磁気ヘッド１４および磁気データ有無検出部１４０によって磁気記録媒体２に磁気データが記録されていることが検知された際、磁気記録媒体２の搬送を開始することもできる。この場合、第１センサ１３１を設ける必要がない。
【００２５】
（基本動作）
本実施形態の磁気記録媒体処理装置１では、磁気記録媒体２の投入待ちの状態で、制御部１００が第１センサ１３１によって磁気記録媒体２の投入を検出すると、搬送制御部１５０は、搬送機構３０を制御し、磁気記録媒体２を装置本体２０の内部に取り込む。その際、制御部１００は、第２磁気ヘッド１４および磁気データ有無検出部１４０により、磁気記録媒体２に磁気データが記録されているか否かを判定する。磁気記録媒体２に磁気データが記録されている場合、制御部１００の搬送制御部１５０は、搬送機構３０を制御し、磁気記録媒体２をさらに装置本体２０の内部に取り込む。
【００２６】
次に、磁気データの再生あるいは記録が行われる。磁気データの再生が行われる場合には、第３センサ１３３が磁気記録媒体２の端を検出した後、磁気記録媒体２が第１磁気ヘッド２１と接する位置まで移動すると、第１磁気ヘッド２１が磁気記録媒体２の磁気データを読み取り、磁気データ再生部１２０では、磁気データの再生が行われる。かかる動作は、第４センサ１３４が磁気記録媒体２の端を検出するまで行われ、第４センサ１３４が磁気記録媒体２の端を検出すると、第１磁気ヘッド２１による磁気データの読み取りが終了する。
【００２７】
続いて、第５センサ１３５が磁気記録媒体２の端を検出すると、制御部１００の搬送制御部１５０は、搬送機構３０を制御して、磁気記録媒体２の搬送を停止し、その後、磁気記録媒体２を投入口１１に向けて搬送する排出動作を行う。排出動作において、第２センサ１３２が磁気記録媒体２の端を検出すると、制御部１００は、磁気記録媒体２が投入口１１へ返却されたと判断して、磁気記録媒体２の搬送を停止させる。従って、利用者は、投入口１１から突出している磁気記録媒体２の先端部分を掴んで磁気記録媒体２を抜き取ることができる。また、制御部１００は、第１センサ１３１により磁気記録媒体２の抜き取りが完了したか否かを判定し、磁気記録媒体２の抜き取りが完了したことを検出した時点で一連の動作が終了し、再び、磁気記録媒体２の投入を待つ状態に戻る。
【００２８】
（磁気記録媒体２の構成）
図３は、図１に示す磁気記録媒体２の説明図である。図１に示す磁気記録媒体２は、例えば、厚さが０．７〜０．８ｍｍ程度の長方形状の塩化ビニール製の磁気記録カードである。
【００２９】
図３に示すように、磁気記録媒体２には、一方端２ａから他方端２ｂに向かって延在する磁気ストライプ２ｓが形成されており、磁気ストライプ２ｓには、磁気データに対応す
る２値化信号（１，０）が記録されている。磁気記録媒体２には、ＩＣチップが内蔵されていることもある。
【００３０】
磁気ストライプ２ｓには、磁気データとして、プリアンブルＰＡ、始め符号ＳＳ、取引情報等が含まれた固有のデータである情報データＤＡ、終わり符号ＥＳ、水平冗長検査文字ＬＲＣ、およびポストアンブルＰＢが、この順に記録されている。本実施形態では、始め符号ＳＳ、情報データＤＡ、終わり符号ＥＳ、および水平冗長検査文字ＬＲＣによって、プリアンブルＰＡとポストアンブルＰＢとの間の有効データＤＢが構成されている。情報データＤＡでは、情報に対応する２値化信号（１，０）が記録され、プリアンブルＰＡ、およびポストアンブルＰＢでは、２値化信号（１，０）の一方（例えば、０）が連続して記録されている。
【００３１】
（磁気データ記録部１１０の構成）
再び図１において、本実施形態の磁気記録媒体処理装置１において、磁気データ記録部１１０は、制御部１００から指定された情報に対応する第１データＤ１を作成して出力するデータ作成部５０と、データ作成部５０から出力された第１データＤ１に対応する第１駆動信号Ｓ１を生成して第１磁気ヘッド２１に出力する駆動回路６０とを有しており、データ作成部５０、および駆動回路６０への電源供給は、モータ３３と同様、電源部４０によって行われる。
【００３２】
第１駆動信号Ｓ１は、所定の周期内で「Ｌ」レベルと「Ｈ」レベルとが交互に出現するパルス列信号であり、第１磁気ヘッド２１は、磁気記録媒体２と第１磁気ヘッド２１とが接する記録位置に磁気記録媒体２が到達した際、第１駆動信号Ｓ１に対応する磁界を磁気記録媒体２に印加し、磁気データの記録を行う。
【００３３】
本実施形態の磁気記録媒体処理装置１において、磁気データ記録部１１０には、駆動回路６０等に不具合が発生しているか否かを監視する監視部７０と、電源部４０からの電源供給を遮断するための電源遮断部９０とが設けられており、監視部７０は、駆動回路６０等に不具合が発生していると判断した際、電源遮断部９０を介して、電源部４０からモータ３３、データ作成部５０、および駆動回路６０への電源供給を停止し、以降の動作を停止させる。
【００３４】
本実施形態では、監視部７０によって、駆動回路６０等に不具合が発生しているか否かを監視するために、駆動回路６０は、磁気データを記録するための第１駆動信号Ｓ１を出力する前に第２駆動信号Ｓ２を第１磁気ヘッド２１に出力する。このため、データ作成部５０は、制御部１００からの指定に基づいて、第１駆動信号Ｓ１に対応する第１データＤ１、および第２駆動信号Ｓ２に対応する第２データＤ２を作成して駆動回路６０に出力する。また、駆動回路６０は、第１データＤ１に基づいて第１駆動信号Ｓ１を生成して第１磁気ヘッド２１に出力し、第２データＤ２に基づいて第２駆動信号Ｓ２を生成して第１磁気ヘッド２１に出力する。
【００３５】
本実施形態において、データ作成部５０、駆動回路６０、および監視部７０は、タイミング制御部１３０の制御の下に動作を行い、駆動回路６０は、磁気記録媒体２が投入された後、第１磁気ヘッド２１と接する記録位置に磁気記録媒体２が到達する前に、第１磁気ヘッド２１に第２駆動信号Ｓ２を出力する。また、監視部７０は、駆動回路６０から第１磁気ヘッド２１に信号を出力する信号線６１、６２の電位を監視し、第２駆動信号Ｓ２の波形が予定されていた波形である場合には、第１駆動信号Ｓ１による磁気データの記録を実行させ、第２駆動信号Ｓ２の波形が予定されていた波形でない場合、第１駆動信号Ｓ１による磁気データの記録を中止させる。
【００３６】
より具体的には、第２駆動信号Ｓ２は、予め設定された検査用の信号、あるいは磁気記録媒体２に今回記録すべき磁気データに対応する信号であり、いずれの場合も、第２駆動信号Ｓ２は、データ作成部５０および駆動回路６０が正常であれば、第１駆動信号Ｓ１と同様、所定の周期内で「Ｌ」レベルと「Ｈ」レベルとが交互に出現するパルス列信号である。従って、駆動回路６０等に不具合が発生していない場合、第２駆動信号Ｓ２の波形は、予定されていた波形であるのに対して、駆動回路６０等に不具合が発生した場合、第２駆動信号Ｓ２の波形は、所定の周期内で「Ｈ」レベルが継続する等、予定されていた波形と異なることになる。それ故、監視部７０は、駆動回路６０等が正常であるか否かを判定することができる。
【００３７】
（磁気データの記録）
本実施形態の磁気記録媒体処理装置１において、磁気データの記録を行う場合、制御部１００が第１センサ１３１によって磁気記録媒体２の投入を検出すると、搬送制御部１５０は、搬送機構３０を制御し、磁気記録媒体２を装置本体２０の内部に取り込む。その際、制御部１００は、第２磁気ヘッド１４および磁気データ有無検出部１４０により、磁気記録媒体２に磁気データが記録されているか否かを判定する。磁気記録媒体２に磁気データが記録されている場合、制御部１００の搬送制御部１５０は、搬送機構３０を制御し、磁気記録媒体２をさらに装置本体２０の内部に取り込む。
【００３８】
次に、第３センサ１３３が磁気記録媒体２の端を検出すると、磁気データ記録部１１０では、タイミング制御部１３０の制御の下、磁気記録媒体２が第１磁気ヘッド２１と接する記録位置に到達するまでの間に、データ作成部５０が制御部１００からの指令に基づいて第２データＤ２を作成して駆動回路６０に出力し、駆動回路６０は、第１磁気ヘッド２１に第２駆動信号Ｓ２を出力する。
【００３９】
その際、監視部７０は、第２駆動信号Ｓ２を監視し、第２駆動信号Ｓ２の波形が予定されていたパルス列信号の波形であると判定した場合、電源遮断部９０を作動させず、電源部４０からモータ３３、データ作成部５０、および駆動回路６０への電源供給を継続させる。従って、磁気データ記録部１１０では、制御部１００からの指令の下、データ作成部５０が第１データＤ１を作成して駆動回路６０に出力し、駆動回路６０は、磁気記録媒体２が第１磁気ヘッド２１と接する記録位置に到達した際、第１磁気ヘッド２１に第１駆動信号Ｓ１を出力する。従って、磁気記録媒体２に磁気データが記録される。かかる動作は、第４センサ１３４が磁気記録媒体２の端を検出するまで行われ、第４センサ１３４が磁気記録媒体２の端を検出すると、第１磁気ヘッド２１による磁気データの記録が終了する。続いて、第５センサ１３５が磁気記録媒体２の端を検出すると、制御部１００の搬送制御部１５０は、搬送機構３０を制御して、磁気記録媒体２の搬送を停止し、その後、磁気記録媒体２を投入口１１に向けて搬送する排出動作を行う。
【００４０】
これに対して、監視部７０は、第２駆動信号Ｓ２の波形が予定されていたパルス列信号の波形でないと判定した場合、電源遮断部９０を作動させ、電源部４０からモータ３３、データ作成部５０、および駆動回路６０への電源供給を中止させる。例えば、第２駆動信号Ｓ２が、ＨレベルあるいはＬレベルが連続する信号である場合、パルスの間隔が予定している間隔でない場合、あるいは１ｂｉｔに対応する信号の間隔がＪＩＳ規格やＩＳＯ規格等の規格と異なる場合、監視部７０は、電源遮断部９０を作動させ、電源部４０からモータ３３、データ作成部５０、および駆動回路６０への電源供給を中止させ、磁気データ記録部１１０に不具合が発生したことを報知する。従って、磁気データ記録部１１０では、磁気記録媒体２への磁気データの記録が実行されない。
【００４１】
（本実施形態の主な効果）
以上説明したように、本実施形態の磁気記録媒体処理装置１において、駆動回路６０は
、磁気記録媒体２に磁気データを記録するための第１駆動信号Ｓ１を出力する前に第２駆動信号Ｓ２を第１磁気ヘッド２１に出力し、監視部７０は、第２駆動信号Ｓ２の波形が予定されていた波形と異なる場合、駆動回路６０等に不具合が発生したと判定し、第１駆動信号Ｓ１による磁気データの記録を中止させる。このため、駆動回路６０等の不具合が原因で、磁気記録媒体２の磁気データが誤って書き換えられることを抑制することができる。
【００４２】
また、駆動回路６０から第１磁気ヘッド２１への第２駆動信号Ｓ２の出力は、磁気記録媒体２が投入された後、磁気記録媒体２が第１磁気ヘッド２１によって磁気データが記録される位置に到達する前に行われる。このため、駆動回路６０から第１磁気ヘッド２１に第２駆動信号Ｓ２が出力されても、磁気記録媒体２の磁気データが第２駆動信号Ｓ２によって書き換えられることを抑制することができる。
【００４３】
また、媒体移動路２２における磁気記録媒体２の位置を検出するセンサ（第１センサ１３１、第２センサ１３２、第３センサ１３３、第４センサ１３４、および第５センサ１３５）の検出結果に基づいて、駆動回路６０から第１駆動信号Ｓ１および第２駆動信号Ｓ２を出力するタイミングを制御するタイミング制御部１３０が設けられているため、磁気記録媒体２の位置に応じた適正なタイミングで、駆動回路６０から第１駆動信号Ｓ１および第２駆動信号Ｓ２を出力することができる。
【００４４】
［実施形態２］
図４は、本発明の実施形態２に係る磁気記録媒体処理装置１の構成を模式的に示す説明図である。なお、本実施形態の基本的な構成は、実施形態１と同様であるため、共通する部分には同一の符号を付して図示し、それらの説明を省略する。
【００４５】
図４に示すように、本実施形態の磁気記録媒体処理装置１も、実施形態１と同様、監視部７０は、駆動回路６０から第１磁気ヘッド２１に信号を出力する信号線６１、６２の電位を監視し、第２駆動信号Ｓ２が予定されていたパルス列信号である場合には、第１駆動信号Ｓ１による磁気データの記録を実行させ、第２駆動信号Ｓ２の波形が予定されていた波形でない場合、第１駆動信号Ｓ１による磁気データの記録を中止させる。従って、駆動回路６０等の不具合が原因で、磁気記録媒体２の磁気データが誤って書き換えられることを抑制することができる。
【００４６】
ここで、監視部７０は、実施形態１と違って、データ作成部５０で作成された第２データＤ２も監視している。従って、監視部７０は、第２駆動信号Ｓ２の波形が予定されていた波形でない場合において、第２データＤ２が予定しているデータであるときには駆動回路６０に不具合が発生していると判定し、第２データＤ２が予定しているデータでないときにはデータ作成部５０に不具合が発生していると判定する。例えば、監視部７０は、第２駆動信号Ｓ２の波形が予定されていた波形でない場合において、第２データＤ２が、ＪＩ規格等に準拠したデータであるときには駆動回路６０に不具合が発生していると判定し、第２データＤ２がＪＩＳ規格等に準拠したデータでないときにはデータ作成部５０に不具合が発生していると判定する。それ故、不具合が発生した原因を特定することができる。
【００４７】
［他の実施形態］
上記実施形態では、不具合が発生したと監視部７０が判定したとき、電源部４０からモータ３３、データ作成部５０、および駆動回路６０への電源供給を中止して、磁気記録媒体２への磁気データの記録を停止したが、モータ３３、データ作成部５０、および駆動回路６０の一部への電源供給を中止して、磁気記録媒体２への磁気データの記録を停止してもよい。また、不具合が発生したと監視部７０が判定したとき、監視部７０がデータ作成
部５０にリセット信号を出力して、磁気記録媒体２への磁気データの記録を停止してもよい。
【００４８】
上記実施形態では、磁気記録媒体２が搬送機構３０によって第１磁気ヘッド２１と接する位置まで移動する構成であったが、磁気記録媒体２が手動で磁気ヘッドと接する位置まで移動する構成の磁気記録媒体処理装置に本発明を適用してもよい。
【符号の説明】
【００４９】
１…磁気記録媒体処理装置、２…磁気記録媒体、２ｓ…磁気ストライプ、１１…投入口、１３…媒体位置検出機構、２１…第１磁気ヘッド、２２…媒体移動路、３０…搬送機構、３３…モータ、３４…駆動力伝達機構、４０…電源部、５０…データ作成部、６０…駆動回路、６１、６２…信号線、７０…監視部、９０…電源遮断部、１００…制御部、１１０…磁気データ記録部、１２０…磁気データ再生部、１３０…タイミング制御部、１３１…第１センサ、１３２…第２センサ、１３３…第３センサ、１３４…第４センサ、１３５…第５センサ、１４０…磁気データ有無検出部、１５０…搬送制御部、Ｄ１…第１データ、Ｄ２…第２データ、Ｓ１…第１駆動信号、Ｓ２…第２駆動信号
【図１】
2020107385.tif 000003
【図２】
2020107385.tif 000004
【図３】
2020107385.tif 000005
【図４】
2020107385.tif 000006